(57)【要約】【課題】座位のままでパンツを下ろすことなく、吸収体シートの交換やトイレの使用が実現できる股繰り前後分割開閉自在パンツを提供する。【解決手段】パンツの股繰りを、切り離して構成する前パンツ２と後パンツ３と、分割端の重なり幅に止め着部５ａ、５ｂとを備え、ワンタッチで素早く開閉することができ、座位のままでも吸収体シート６の交換を容易にすることや、トイレの使用が容易にできることを特徴とした股繰り前後分割開閉自在パンツ１０とした。【選択図】図１
2019042446.tif 000002
【特許請求の範囲】
【請求項１】
パンツの股繰りを前後に分割可能とし、開閉自在の止め着部によって吸収体シートの交換やトイレの使用を可能とすることを可能とした股繰り前後分割開閉自在パンツ。
【請求項２】
請求項１に記載の股繰り前後分割開閉自在パンツにおいて、股繰り前後分割開閉自在パンツを紙パンツとしたことを特徴する股繰り前後分割開閉自在パンツ。
【発明の詳細な説明】
【技術分野】
【０００１】  本発明は、座位のままパンツを下げることなく、吸収体シートの交換やトイレの使用を可能とした、股繰り前後分割開閉自在パンツに関するものである。
【背景技術】
【０００２】  従来の紙パンツは、ウェスト部分での開閉着脱の構造であり、おむつの形状として構成されており、交換する際には介護者などの手によって行なわれていた。【０００３】  しかしながら、従来の紙パンツでは、立位保持困難者は、吸収体シートの交換やトイレ使用の際、膝まで紙パンツを下ろさなければならず、介護者や第３者の手が必要となるなど、時間と手間がかかるという問題点があった。【０００４】  図６は従来技術の一つである紙パンツの説明図であり、片足ずつウェスト開口部より足を入れ、足開口部より足を出して所定の位置まで引き上げて装着する。２００は紙パンツであり、装着にあたり片足ずつウェスト開口部２０１に足を入れ、足開口部
２０２、２０３より足を出して所定の位置まで引き上げて装着するというものである。【０００５】  続いて、このような紙パンツに関する他の従来技術を説明する。例えば、特許文献１（特開２００４−１２１３８８号公報、発明の名称「使い捨て紙おむつ」）に記載の発明も知られている。特許文献１の図２に示す発明では、ウェスト部分で開閉して着脱する、いわゆるおむつとして装着するというものである。
【先行技術文献】
【特許文献】
【０００６】
【特許文献１】特開２００４−１２１３８８
【発明の概要】
【発明が解決しようとする課題】
【０００７】  しかしながら、上記図６の紙パンツや、特許文献１の使い捨て紙おむつも問題点を有するものであった。まず、従来技術の紙パンツは、その歴史は比較的新しく、高齢者を中心に広く採用されている。装着方法は、片足ずつウェスト開口部２０１に足を入れ、足開口部２０２、２０３より足を出して所定の位置まで引き上げて装着する。このとき、立位保持困難者は、吸収体シートの交換やトイレ使用の際、膝まで紙パンツを下ろさなければならず、介護者や第３者の手が必要となるなど、時間と手間がかかるという問題点があった。【０００８】  また、特許文献１に記載の従来技術は、その歴史も古く、改良を重ねつつあるも、ウェスト部分で開閉して着脱する、いわゆるおむつとして装着する方法であり、立位保持困難者においては、介護者や第３者の手が必要となるなど、時間と手間がかかるという問題点があった。【０００９】  このように、紙パンツや使い捨ておむつは全国多数、日常的に使用されているが、いずれの従来方式においても、立位保持困難者については、吸収体シートの交換やトイレ使用の際、膝まで紙パンツを下ろさなければならず、介護者や第３者の手が必要となるなど、時間と手間がかかるという問題点があった。【００１０】  本発明は、上記に述べた問題に鑑みてなされたものであり、その目的は、座位のままでパンツを下ろすことなく、吸収体シートの交換やトイレの使用が実現できる股繰り前後分割開閉自在パンツを提供することにある。
【課題を解決するための手段】
【００１１】  上記課題を解決するため、請求項１に係わる発明は、
パンツの股繰りを、切り離して構成する前パンツと後パンツと、分割端の重なり幅に止め着部とを備え、ワンタッチで素早く開閉自在となることを特徴とした股繰り前後分割開閉自在パンツとした。【００１２】  また、請求項２に係わる発明は、
請求項１に記載の股繰り前後分割開閉自在パンツにおいて、股繰り前後分割開閉自在パンツを紙パンツとしたことを特徴する股繰り前後分割開閉自在パンツとした。
【発明の効果】
【００１３】  このような発明によれば、ワンタッチで股繰りが分割して開放することができ、座位のままでパンツを下ろすことなく、吸収体シートの交換やトイレの使用が実現でき、介護者や第３者の手が不必要となるなど、時間と手間が大幅に省くことができる。【００１４】  前記効果により、立位保持困難者の排便、排尿の負担を大幅に軽減し、介護者の負担を軽減することができるとともに、立位保持困難者の排便、排尿作業の自立の一助となる。また、吸収体シートのみの交換で使用が継続でき、使い捨て紙おむつや紙パンツの使用と比較して、経済的負担も大幅に軽減することができる。
【図面の簡単な説明】
【００１５】
【図１】本発明を実施するための第１および第２の発明の斜視外観図である。
【図２】本発明を実施するための第１および第２の発明の断面図である。
【図３】本発明を実施するための第１および第２の発明の着用外観図である。
【図４】本発明を実施するための第１および第２の発明のトイレでの使用図である。
【図５】本発明を実施するための第１および第２の発明の寝具での使用図である。
【図６】従来技術の紙パンツの説明図である。
【発明を実施するための形態】
【００１６】  続いて、本発明を実施するための形態について、図１〜図５を参照しつつ説明する。図１は、本発明の斜視外観図であり、股繰り前後分割開閉自在パンツ１０は、ワンタッチで開閉自在の止め着部５ａ、５ｂを外し、前パンツ２と後パンツ３が開放して吸収体シート６を交換可能としている。
【００１７】  図２は股繰り前後分割開閉自在パンツ１０の断面図であり、装着時の前面に配置している止め着部５ａ、５ｂによって、ワンタッチで前パンツ２と後パンツ３を前後に分割開放できる。
【実施例】
【００１８】  続いて装着方法と実施例について説明する。図３は着用時の外観図である。履き口１ａから足開口部１ｂに片足ずつ挿入し、所定の位置までスライドさせることで装着することができる。図４はトイレ使用時、図５は座位のままで、股繰り前後分割開閉自在パンツ１０の前面に配置している止め着部５ａ、５ｂをワンタッチで前パンツ２と後パンツ３を前後に分割開放し、吸収体シート６の交換を容易にした寝具での実施例である。
【産業上の利用可能性】
【００１９】  高齢化が進む社会においてますます利用者が増加し、介護用のパンツやおむつに多様化が求められる。以上のような本発明の股繰り前後分割開閉自在パンツは、座位のままパンツを下げることなく、吸収体シートの交換やトイレの使用を可能とし、立位保持困難者の利便性を実現しており、産業上の利用価値を高めている。
【符号の説明】
【００２０】１ａ  ：履き口
１ｂ  ：足開口部
２    ：前パンツ
３    ：後パンツ
４ａ  ：前パンツ分割部
４ｂ  ：後パンツ分割部
５ａ  ：前パンツ止め着部
５ｂ  ：後パンツ止め着部
６    ：吸収体シート
１０  ：股繰り前後分割開閉自在パンツ
１００：トイレ
１０１：寝具
５００：上半身
５０１：足
【図１】
2019042446.tif 000003
【図２】
2019042446.tif 000004
【図３】
2019042446.tif 000005
【図４】
2019042446.tif 000006
【図５】
2019042446.tif 000007
【図６】
2019042446.tif 000008